【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  所定波長域の光を発生する光源と、前記光源の前方に配置された文字板と、前記文字板の少なくとも一方の面に形成され、内部を透過する前記光源からの前記所定波長域の光を吸収して当該所定波長域より長い波長域の表示光を放出する色変換層とを備えることを特徴とする表示装置。
【請求項２】  請求項１記載の表示装置であって、前記光源は発光ダイオードであり、前記色変換層は蛍光材料でなることを特徴とする表示装置。
【請求項３】  請求項１又は請求項２に記載の表示装置であって、前記色変換層からの前記表示光を透過させ且つ前記色変換層へ向けて入射する紫外光を遮断する紫外光遮断部材をさらに備えることを特徴とする表示装置。
【請求項４】  請求項１乃至請求項３のいずれかに記載の表示装置であって、前記紫外光遮断部材は、前記色変換層の表面に塗布されたＵＶカットインクでなることを特徴とする表示装置。
【請求項５】  請求項１乃至請求項３のいずれかに記載の表示装置であって、前記紫外光遮断部材は、前記色変換層の前方に配置されたＵＶカットガラスであることを特徴とする表示装置。
【請求項６】  請求項１乃至請求項５のいずれかに記載の表示装置であって、前記光源が複数配置され、前記色変換層は前記光源からの光を受けて前記所定波長域より長波長側の互いに異なる波長帯域への色変換を行う複数種が含まれることを特徴とする表示装置。
【請求項７】  請求項１乃至請求項６記載の表示装置を備え、前記色変換層でなり前記光源からの光を受けて所定形状の表示を行う表示部を有することを特徴とする計器。
【手続補正２】
【補正対象書類名】明細書
【補正対象項目名】０００６
【補正方法】変更
【補正の内容】
【０００６】
【課題を解決するための手段】
請求項１記載の発明は、所定波長域の光を発生する光源と、前記光源の前方に配置された文字板と、前記文字板の少なくとも一方の面に形成され、内部を透過する前記光源からの前記所定波長域の光を吸収して当該所定波長域より長い波長域の表示光を放出する色変換層とを備えることを特徴とする。
【手続補正３】
【補正対象書類名】明細書
【補正対象項目名】０００７
【補正方法】変更
【補正の内容】
【０００７】
このような構成の請求項１記載の発明では、光源から出射される所定波長域の光（光源光）を長波長側の異なる帯域の光に変換できるため、所定波長域の光と、色変換層から放出される表示光との少なくとも２つの波長帯域の光を表示に用いることが可能となる。すなわち、請求項１記載の発明では、２色以上の表示色を得ることができる。
【手続補正４】
【補正対象書類名】明細書
【補正対象項目名】０００９
【補正方法】変更
【補正の内容】
【０００９】
従って、請求項２記載の発明では、請求項１記載に係る発明の作用に加えて、発光ダイオードを光源として用いることにより、光源を低消費電力にすることができると共に耐久性を高めることができる。
【手続補正５】
【補正対象書類名】明細書
【補正対象項目名】００１０
【補正方法】変更
【補正の内容】
【００１０】
さらに、請求項３記載の発明は、請求項１又は請求項２に記載の表示装置であって、前記色変換層からの前記表示光を透過させ且つ前記色変換層へ向けて入射する紫外光を遮断する紫外光遮断部材をさらに備えることを特徴とする。
【手続補正６】
【補正対象書類名】明細書
【補正対象項目名】００１１
【補正方法】変更
【補正の内容】
【００１１】
従って、請求項３記載の発明では、請求項１又は請求項２に係る発明の作用に加えて、紫外光遮断部材が色変換層へ向けて入射する紫外光を遮断するため、色変換層の材料の劣化を抑制して色変換層の色変換特性を長期に亙り保持させることができる。このため、表示装置の寿命を長くすることができる。
【手続補正７】
【補正対象書類名】明細書
【補正対象項目名】００１２
【補正方法】変更
【補正の内容】
【００１２】
また、請求項４記載の発明は、請求項１乃至請求項３のいずれかに記載の表示装置であって、前記紫外光遮断部材は、前記色変換層の表面に塗布されたＵＶカットインクでなることを特徴とする。
【手続補正８】
【補正対象書類名】明細書
【補正対象項目名】００１３
【補正方法】変更
【補正の内容】
【００１３】
従って、請求項４記載の発明では、請求項１乃至請求項３のいずれかに係る発明の作用に加えて、ＵＶカットインクにて紫外光が色変換層に入射するのを抑える作用がある。特に、請求項４記載の発明では、色変換層の表面にＵＶカットインクが塗布されているため、色変換層への紫外光入射を確実に防止する作用がある。
【手続補正９】
【補正対象書類名】明細書
【補正対象項目名】００１４
【補正方法】変更
【補正の内容】
【００１４】
さらに、請求項５記載の発明は、請求項１乃至請求項３のいずれかに記載の表示装置であって、前記紫外光遮断部材は、前記色変換層の前方に配置されたＵＶカットガラスであることを特徴とする。
【手続補正１０】
【補正対象書類名】明細書
【補正対象項目名】００１５
【補正方法】変更
【補正の内容】
【００１５】
従って、請求項５記載の発明では、請求項１乃至請求項３のいずれかに係る発明の作用に加えて、請求項４に記載に係る発明の作用と同様にＵＶカットガラスにて紫外光が色変換層に入射するのを抑える作用がある。
【手続補正１１】
【補正対象書類名】明細書
【補正対象項目名】００１７
【補正方法】変更
【補正の内容】
【００１７】
また、請求項６記載の発明は、請求項１乃至請求項５のいずれかに記載の表示装置であって、前記光源が複数配置され、前記色変換層は前記光源からの光を受けて前記所定波長域より長波長側の互いに異なる波長帯域への色変換を行う複数種が含まれることを特徴とする。
【手続補正１２】
【補正対象書類名】明細書
【補正対象項目名】００１８
【補正方法】変更
【補正の内容】
【００１８】
このような構成の請求項６記載の発明では、光源から出射される所定波長域の光が、色変換特性の異なる色変換層で互いに異なる波長帯域の光に変換されるため、光源の波長域が同一でも色変換層によって異なる色の表示光を得ることができる。このため、これらの色変換層で発生する少なくとも２つの波長帯域の光と、所定波長域の光源光との少なくとも３つの波長帯域の光を表示に用いることができる。これにより、請求項１０記載の発明では、計器における、例えばレッドゾーンを示す赤色、アンバーゾーンを示す黄色、正常状態を示す緑色や青色などの各種の表示色を、１種類の光源で作り出すことができる。
【手続補正１３】
【補正対象書類名】明細書
【補正対象項目名】００１９
【補正方法】変更
【補正の内容】
【００１９】
さらに、請求項７記載の発明は、請求項１乃至請求項６記載の表示装置を備え、前記色変換層でなり前記光源からの光を受けて所定形状の表示を行う表示部を有することを特徴とする。
【手続補正１４】
【補正対象書類名】明細書
【補正対象項目名】００２０
【補正方法】変更
【補正の内容】
【００２０】
従って、請求項７記載の発光では、請求項１乃至請求項６に記載された表示装置の作用を有する計器が得られる。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００４８
【補正方法】変更
【補正の内容】
【００４８】
【発明の効果】
以上の説明から明らかなように、請求項１記載の発明によれば、複数の色表示を１種類の光源を用いて行うことができるため、コストを低減する効果がある。
【手続補正２２】
【補正対象書類名】明細書
【補正対象項目名】００５０
【補正方法】変更
【補正の内容】
【００５０】
請求項３記載の発明によれば、請求項１又は請求項２に記載に係る発明の効果に加えて、紫外光遮断部材が色変換層へ向けて入射する紫外光を遮断するため、色変換層の材料の劣化を抑制して色変換層の色変換特性を長期に亙り保持させることができ、表示装置の寿命を長くすることができる。
【手続補正２３】
【補正対象書類名】明細書
【補正対象項目名】００５１
【補正方法】変更
【補正の内容】
【００５１】
請求項４記載の発明によれば、請求項１乃至請求項３に記載に係る発明の効果に加えて、ＵＶカットインクにて紫外光が色変換層に入射するのを抑えるため色変換層の劣化を防止する効果がある。また、請求項４記載の発明によれば、色変換層の表面にＵＶカットインクが塗布されているため、色変換層への紫外光入射を確実に防止する効果がある。
【手続補正２４】
【補正対象書類名】明細書
【補正対象項目名】００５２
【補正方法】変更
【補正の内容】
【００５２】
請求項５記載の発明によれば、請求項１乃至請求項３に記載に係る発明の効果に加えて、ＵＶカットガラスにて紫外光が色変換層に入射するのを抑えるため、色変換層の材料劣化や性能劣化を防止する効果がある。
【手続補正２５】
【補正対象書類名】明細書
【補正対象項目名】００５３
【補正方法】変更
【補正の内容】
【００５３】
請求項６記載の発明によれば、光源から出射される所定波長域の光が、色変換特性の異なる色変換層で互いに異なる波長帯域の光に変換されるため、光源の波長域が同一でも色変換層によって異なる複数の色の表示光を行える効果がある。
【手続補正２６】
【補正対象書類名】明細書
【補正対象項目名】００５４
【補正方法】変更
【補正の内容】
【００５４】
請求項７記載の発明によれば、請求項１乃至請求項６に記載された表示装置の効果を有する計器を得ることができる。
【手続補正２７】
【補正対象書類名】明細書
【補正対象項目名】００５５
【補正方法】削除
【補正の内容】
【手続補正２８】
【補正対象書類名】明細書
【補正対象項目名】００５６
【補正方法】削除
【補正の内容】
【手続補正２９】
【補正対象書類名】明細書
【補正対象項目名】００５７
【補正方法】削除
【補正の内容】